(57)【要約】【課題】動物に効率的に薬剤を与えることを目的とするペットのための食用薬剤坦持体を提供する。【解決手段】本発明の食用薬剤坦持体は、内部に収納部を有する本体及び蓋を備える。本体及び蓋はいずれもペットフードと同様の材料で製造され、本体は一般的にみられるペットフードと同様の外観を有する。保温体及び蓋はそれぞれ環状である第一壁及び第二壁を有し、第一壁及び第二壁は互いに対応する第一螺合部及び第二螺合部を有する。薬剤を本体の収納部内に安置し、第一螺合部と第二螺合部を螺合することで、蓋を本体に固定し、薬剤を本体の内部に固定する。また、ペットフードのような形状や臭いを備えることで、ペットフードに混ぜて動物に与えることで、効率的に薬剤を与えることを可能にする。【選択図】図１
2011224000.tif 000002
【特許請求の範囲】
【請求項１】
ペットのための食用薬剤坦持体であって、
薬剤を収納するための収納部、開け口及び前記収納部を形成する第一壁を備える本体、
及び第二壁を備える蓋、
を備え、前記開け口は前記収納部と繋がっており、前記第一壁は少なくとも１つの第一螺合部を備え、前記第二壁は少なくとも１つの第一螺合部と対応する第二螺合部を備え、
前記本体及び前記蓋はそれぞれペットフードと同様の材料で製造され、
前記第一壁及び前記第二壁はそれぞれ環状であり、
前記第一螺合部及び前記第二螺合部が螺合することで、前記蓋を前記本体に固定し、前記開け口を塞ぐことを特徴とする食用薬剤坦持体。
【請求項２】
前記本体はペットフードのような形状を有することを特徴とする請求項１に記載の食用薬剤坦持体。
【請求項３】
前記第一螺合部及び前記第二螺合部はそれぞれ対応するメネジ及びオネジであることを特徴とする請求項１或いは請求項２のうちいずれかに記載の食用薬剤坦持体。
【請求項４】
前記本体は前記収納部の底面を形成し、前記第一壁は少なくとも２つの突出した第一螺合部を備え、前記第一螺合部及び前記底面の間には隙間を有し、前記第二壁は少なくとも２つの第二螺合部を備え、
前記第二壁が前記収納部に収納された際、前記第二螺合部の一端が前記第一螺合部の下に位置し、前記蓋を回転させることで前記第二螺合部が前記第一螺合部の下に嵌合することで、前記蓋及び前記本体が固定されることを特徴とする請求項１或いは請求項２のうちいずれかに記載の食用薬剤坦持体。
【請求項５】
前記第一螺合部の両端と前記底面の間には高さの異なる隙間を有することを特徴とする請求項４に記載の食用薬剤坦持体。
【請求項６】
前記蓋は前記開け口と対応する頂面を備え、前記第二壁の断面の大きさが前記開け口より小さく、前記頂面及び前記第二壁が凹みを形成することを特徴とする請求項５に記載の食用薬剤坦持体。
【請求項７】
前記第一螺合部及び前記第二螺合部が互いに対応する斜めに形成される溝構造になっていることを特徴とする請求項１或いは請求項２のうちいずれかに記載の食用薬剤坦持体。
【請求項８】
前記第一螺合部は第一結合部及び第一ストッパーを備え、   前記第一結合部の上端は前記第一壁の上端より高く、   前記第一結合部は前記第一ストッパーの上端に接続され、
前記第二螺合部は第二結合部及び第二ストッパーを備え、   前記第二結合部の上端は前記第二壁の上端より高く、   前記第二結合部は前記第二ストッパーの上端に接続され、
前記第一螺合部及び前記第二螺合部が螺合する際、前記第一結合部及び前記第二結合部が嵌合し、前記第一結合部及び前記第二結合部がそれぞれ前記第二ストッパー及び前記第一ストッパーに接触することを特徴とする請求項１に記載の食用薬剤坦持体。
【請求項９】
前記第一結合部及び前記第二結合部はそれぞれ対応する第一嵌合部及び第二嵌合部を備えることを特徴とする請求項８に記載の食用薬剤坦持体。
【請求項１０】
前記本体及び前記蓋は同じ形状であることを特徴とする請求項９に記載の食用薬剤坦持体。
【発明の詳細な説明】
【技術分野】
【０００１】
本発明は、薬剤を入れるための坦持体、より詳しくは、犬や猫等の動物に与える食用薬剤坦持体に関する。
【背景技術】
【０００２】
犬を飼う経験がある人なら誰しも、犬に薬剤を与える際に、犬が薬剤を吐き出す、或いは薬剤を舌の裏に隠し、飼い主が見ていない時に吐き出すという経験を持つ。薬剤を餌の中に混ぜ込んでも、犬は餌のみを食べ、薬剤を残してしまう。犬に薬剤を与える最も効果的な方法は、一人が犬の口を広げ、もう一人が薬剤を犬の喉の奥に押し込み、犬の口を閉じ、飲み込むまで押さえ続けることだが、犬に咬まれたり、犬に怪我をさせてしまうこともある。
【０００３】
米国特許第５，８５３，７５７号には、動物に丸状、タブレット状或いはカプセル状等の内服薬を飲ませるための動物用の薬剤坦持体（Ｃａｒｒｉｅｒ  ｆｏｒ  ａｎｉｍａｌ  ｍｅｄｉｃａｔｉｏｎ）が記載されている。当該坦持体は薬剤を載置する収納部を備え、前記坦持体が変形することにより薬剤を坦持体内へ固定する。坦持体は薬剤の臭いを遮り、オイルを加えることで内部に薬剤を含んだ坦持体を動物に食べさせやすくする効果がある。
【０００４】
米国特許第５，８９５，６６２号には、動物に内服薬を飲ませるための肉製カプセル（Ｍｅａｔ  Ｐｒｏｄｕｃｔ  ｐｅｔ  ｍｅｄｉｃｉｎｅ  ｃａｐｓｕｌｅ）が記載されている。当該カプセルは食用材料で製造される瓶及び蓋を有し、前記瓶は薬剤を安置できる内部空間と開け口を有し、前記蓋は可動式で前記開け口を塞ぐのに使用される。
【先行技術文献】
【特許文献】
【０００５】
【特許文献１】米国特許第５，８５３，７５７
【０００６】
【特許文献２】米国特許第５，８９５，６６２
【発明の概要】
【発明が解決しようとする課題】
【０００７】
上述の動物用の薬剤坦持体はいずれも、薬剤を包むことで薬剤の臭いを遮っているが、当該坦持体の形状及び臭いがペットフードとは異質であり、ペットフードに混ぜて与えたとしても坦持体を除けてしまう恐れがあり、薬剤を与える手段としては効果的とは言えない。
【課題を解決するための手段】
【０００８】
上述の先行技術が持つ課題を解決するため、本発明はペットのための食用薬剤坦持体を提供する。
【０００９】
本発明のペットのための食用薬剤坦持体は、ペットフードと大差ない形状及び匂いを有することで、ペットフードと混ぜて与えた際、動物が除けてしまうことがない。
【００１０】
また、本発明のペットのための食用薬剤坦持体はまた、薬剤と結合することで薬剤が坦持体から分離してしまうのを防ぐことを可能にする。
【図面の簡単な説明】
【００１１】
【図１】本発明のペットのための食用薬剤坦持体の実施例１を示す説明図である。
【図２】本発明のペットのための食用薬剤坦持体の実施例１を示す分解図である。
【図３】本発明のペットのための食用薬剤坦持体の実施例２を示す説明図である。
【図４】本発明のペットのための食用薬剤坦持体の実施例２を示す分解図である。
【図５】本発明のペットのための食用薬剤坦持体の実施例３を示す説明図である。
【図６】本発明のペットのための食用薬剤坦持体の実施例３を示す分解図である。
【図７】本発明のペットのための食用薬剤坦持体の実施例４を示す説明図である。
【図８】本発明のペットのための食用薬剤坦持体の実施例４の本体及び蓋を示す説明図である。
【図９】本発明のペットのための食用薬剤坦持体の実施例４を示す説明図である。
【発明を実施するための形態】
【実施例１】
【００１２】
図１及び図２は、本発明のペットのための食用薬剤坦持体の実施例１を示す図である。本実施例の食用薬剤坦持体１は、本体１１及び蓋１２を備える。本体１１及び蓋１２はいずれもペットフードと同様の材料で製造され、本体１１は例えば骨の形状のような、一般的にみられるペットフードの外観を有する。本体１１の表面には開け口１１２を有し、内部には収納部１１１を有する。開け口１１２は収納部１１１と繋がっている。本体１１は収納部１１１を形成する第一壁１１３を有し、蓋１２は第一壁１１３に対応する第二壁１２０を有する。第一壁１１３及び第二壁１２０は共に環状である。第一壁１１３及び第二壁１２０は互いに対応する第一螺合部１１４及び第二螺合部１２１を有する。本実施例の第一螺合部１１４及び第二螺合部１２１は互いに対応するオネジ及びメネジを有する。薬剤１０は本体１１の収納部１１１内に安置することができ、第一螺合部１１４と第二螺合部１２１を螺合することで、蓋１２を本体１１と結合し、開け口１１２を塞ぐことで、薬剤１０を本体１１の内部に固定する。
【００１３】
動物がペットフードを食べる際、フードを一度噛み砕き、臭いを嗅いでから食べることが多い。そこで、使用者は薬剤１０を粉末状にすり潰し、軟らかく粘性を持つチーズやでんぷん糊等の食用材料と混ぜ合わせ、収納部１１１に安置する。或いは食用材料を蓋１２及び本体１１に粘着する。そして、第一螺合部１１４と第二螺合部１２１を螺合し、蓋１２を本体１１と結合し、開け口１１２を塞ぐ。そして、チーズやでんぷん糊等の食用材料を乾燥させ固形化させることで、蓋１２及び本体１１と一体化させる。そうすることで、薬剤１０の粉末は食用薬剤坦持体１内にしっかりと固定され、食用薬剤坦持体１が動物に噛み砕かれても、薬剤１０の粉末は食用薬剤坦持体１の破片内に留まり、分離することがない。そのため、動物は薬剤１０の臭いを嗅ぎ分けることなく、食用薬剤坦持体１の破片と共に薬剤１０を飲み込む。チーズやでんぷん糊等の食用材料は天然香料や人工香料を添加し、より動物が食べやすいようにすることも可能である。
【実施例２】
【００１４】
図３及び図４は、本発明のペットのための食用薬剤坦持体の実施例２を示す図である。本実施例の食用薬剤坦持体２は、本体２１及び蓋２２を備える。本体２１及び蓋２２はいずれもペットフードと同様の材料で製造される。本体２１の表面には開け口２１２を有し、内部には収納部２１１を有する。開け口２１２は収納部２１１と繋がっている。本体２１は収納部２１１を形成する第一壁２１３及び底面２１４を有し、第一壁２１３は少なくとも２つの第一螺合部２１５を有する。第一螺合部２１５の両端と底面２１４の間には高さの異なる隙間２１６を有する。蓋２２は開け口２１２に対応する頂面２２１及び断面の大きさが開け口２１２より小さい第二壁２２２を有し、頂面２２１及び第二壁２２２は凹み２２３を形成する。第一壁２１３及び第二壁２２２は共に環状である。第二壁２２２は少なくとも２つの第二螺合部２２４を有し、第二螺合部２２４は第一螺合部２１５に対応している。蓋２２の第二壁２２２を収納部２１１内に入れた際、第二螺合部２２４の一端が第一螺合部２１５の高い方の下へくるよう回転させ嵌め込むことで、蓋２２は本体２１に固定され、蓋２２の頂面２２１は開け口２１２を塞ぐ。本実施例は薬剤１０を本体２１の収納部２１１及び蓋２２の凹み２２３内に固定することが可能である。
【実施例３】
【００１５】
図５及び図６は、本発明のペットのための食用薬剤坦持体の実施例３を示す図である。本実施例の食用薬剤坦持体３は、本体３１及び蓋３２を備える。本体３１及び蓋３２はいずれもペットフードと同様の材料で製造される。本体３１の表面には開け口３１２を有し、内部には収納部３１１を有する。開け口３１２は収納部３１１と繋がっている。本体３１は収納部３１１を形成する第一壁３１３を有し、蓋３２は第一壁３１３に対応する第二壁３２０を有する。第一壁３１３及び第二壁３２０は共に環状である。第一壁３１３及び第二壁３２０は互いに対応する第一螺合部３１４及び第二螺合部３２１を有する。第二壁３２０は凹み３２２を形成する。本実施例の第一螺合部３１４及び第二螺合部３２１は、互いに対応する斜めに形成される溝構造になっている。両側の溝を噛み合わせ、蓋３２を回転させることで螺合し、蓋３２は本体３１に固定され、開け口３１２を塞ぐ。本実施例は薬剤１０を本体３１の収納部３１１及び蓋３２の凹み３２２内に固定することが可能である。
【実施例４】
【００１６】
図７、図８及び図９は、本発明のペットのための食用薬剤坦持体の実施例３を示す図である。本実施例の食用薬剤坦持体４は、本体４１及び蓋４２を備える。本体４１及び蓋４２はいずれもペットフードと同様の材料で製造される。本体４１の表面には開け口４１２を有し、内部には収納部４１１を有する。開け口４１２は収納部４１１と繋がっている。本体４１は収納部４１１を形成する第一壁４１３有し、蓋４２は第二壁４２０を有する。第一壁４１３及び第二壁４２０は共に環状である。第一壁４１３及び第二壁４２０はそれぞれ対応する第一螺合部４１４及び第二螺合部４２１を有する。第一螺合部４１４及び第二螺合部４２１はそれぞれ第一壁４１３及び第二壁４２０上に設置される。
【００１７】
図８に示すように、本実施例の第一螺合部４１４は、第一結合部４１５及び第一ストッパー４１６を有する。第一結合部４１５の上端は第一壁４１３の上端より高い位置にあり、第一結合部４１５は第一ストッパー４１６の上端に設置される。第二螺合部４２１は第二結合部４２２及び第二ストッパー４２３を有する。第二結合部４２２の上端は第二壁４２０の上端より高い位置にあり、第二結合部４２２は第二ストッパー４２３の上端に設置される。第一結合部４１５及び第二結合部４２２はそれぞれ対応する第一嵌合部４１７及び第二嵌合部４２４を有し、第一結合部４１５及び第二結合部４２２が結合した後に分離しにくいようにする。
【００１８】
図９に示すように、第一結合部４１５及び第二結合部４２２を噛み合わせ、蓋４２を回転させることで第一嵌合部４１７及び第二嵌合部４２４が互いに噛み合い、第一結合部４１５及び第二結合部４２２はそれぞれ第二ストッパー４２３及び第一ストッパー４１６に接触する。このようにして、図７に示すように、蓋４２は本体４１に固定され、開け口４１２を塞ぐ。本実施例は薬剤１０を本体４１の収納部４１１内に固定することが可能である。本実施例の本体４１及び蓋４２を同じ形状や構造にすることで、本体４１及び蓋４２を製造するのに必要な設備をまとめることが可能である。
【００１９】
本発明の食用薬剤坦持体は、円柱形、立方体、長方体、球体、三角柱体、或いは骨のような不規則な形状でもよい。本発明の食用薬剤坦持体の材料は、小麦粉、大豆粉やピーナツ粉等のような未発酵或いはあまり発酵していない穀類の粉末であり、更にレモン香料、ゴマ、肉粉や魚粉のような調味料や香料を加え、整形した後火であぶり製造する。
【００２０】
本発明の食用薬剤坦持体は、一般的なペットフードを製造する設備を利用することができ、大量生産によるコストダウンにもつながる。ペットに薬剤を与える際、従来の方法では不便であったが、本発明によれば薬剤だけでなく、ビタミンやグルコサミンのような栄養剤を与えることもでき、ペットの健康にも繋がる。
【００２１】
本発明の食用薬剤坦持体は、薬剤と軟らかく粘性を持つチーズやでんぷん糊等の食用材料と混ぜ合わせ、乾燥させることで、食用薬剤坦持体が動物に噛み砕かれても、薬剤が坦持体と分離することがない。また、ペットフードのような形状と臭いを有することで、ペットフードと混ぜ合わせて一緒に動物に与えることができるため、動物が除けて食べることがなく、薬剤を効率的に食べさせることができる。これにより、従来の動物用薬剤坦持体の欠点を解決した。
【００２２】
上述において、本発明の説明の利便性のために最良の実施例を挙げて説明したが、これらの実施例は本発明の請求の範囲を限定するものではなく、本発明に基づく本発明の要旨を逸脱しないあらゆる変更は全て本発明の特許請求の範囲に含まれる。
【符号の説明】
【００２３】
１、２、３、４      食用薬剤坦持体
１０      薬剤
１１、２１、３１、４１      本体
１１１、２１１、３１１、４１１      収納部
１１２、２１２、３１２、４１２      開け口
１１３、２１３、３１３、４１３      第一壁
１１４、２１５、３１４、４１４      第一螺合部
１２１、２２４、３２１、４２１      第二螺合部
１２、２２、３２、４２      蓋
１２０、２２２、３２０      第二壁
２１４      底面
２１６      隙間
２２１      頂面
２２３、３２２      凹み
４１５      第一結合部
４１６      第一ストッパー
４１７      第一嵌合部
４２２      第二結合部
４２３      第二ストッパー
４２４      第二嵌合部
【図１】
2011224000.tif 000003
【図２】
2011224000.tif 000004
【図３】
2011224000.tif 000005
【図４】
2011224000.tif 000006
【図５】
2011224000.tif 000007
【図６】
2011224000.tif 000008
【図７】
2011224000.tif 000009
【図８】
2011224000.tif 000010
【図９】
2011224000.tif 000011
【手続補正書】
【提出日】平成23年4月13日(2011.4.13)
【手続補正２】
【補正対象書類名】図面
【補正対象項目名】全図
【補正方法】変更
【補正の内容】
【図１】
2011224000.tif 000012
【図２】
2011224000.tif 000013
【図３】
2011224000.tif 000014
【図４】
2011224000.tif 000015
【図５】
2011224000.tif 000016
【図６】
2011224000.tif 000017
【図７】
2011224000.tif 000018
【図８】
2011224000.tif 000019
【図９】
2011224000.tif 000020